(57)【要約】【課題】ネットワーク装置の機能及びＯＳの種別・バージョンに応じたｃｏｎｆｉｇの自動生成を可能にする。【解決手段】ネットワーク装置に、パラメータシートを出力する機能を持たせ（パラメータシート出力機能部１０１）、ユーザが最新のパラメータシートを使用して設定値を入力可能とする。また、ユーザが入力した設定値の設定範囲や入力文字種別等の誤りを検出する機能を持たせ（パラメータシート入力機能部１０２）、設定入力時のヒューマンエラーを回避する。ネットワーク装置はパラメータシートとｃｏｎｆｉｇを一意に翻訳できる機能（パラメータシート翻訳機能部１０３）を有しており、ｃｏｎｆｉｇの自動生成が可能である。これより、異なるＯＳバージョンにおけるｃｏｎｆｉｇの自動生成を可能にし、ユーザの運用管理負担を軽減することが出来る。【選択図】図１
2014059822.tif 000002
【特許請求の範囲】
【請求項１】
設定するパラメータの識別情報のリストを少なくとも含む第１パラメータシートを格納するパラメータシート格納部と、
該第１パラメータシートを出力するパラメータシート出力部と、
設定するパラメータの識別情報毎に、該パラメータの設定値を含む第２パラメータシートを入力するパラメータシート入力部と、
第２パラメータシートからネットワーク装置に設定するコンフィグを自動で作成するコンフィグ作成部と
を備えたネットワーク装置。
【請求項２】
前記コンフィグ作成部で作成されたコンフィグと、ネットワーク装置に設定されているコンフィグとの差分情報を取得し、保存又は出力するコマンド処理部
をさらに備える請求項１に記載のネットワーク装置。
【請求項３】
前記コンフィグ作成部で作成されたコンフィグと、ネットワーク装置に設定されているコンフィグとの差分情報を取得し、取得されたコンフィグの差分情報を、パラメータシートに示されたパラメータ名と設定値を含む文字列に変換して、ユーザ端末に出力するコマンド処理部
をさらに備える請求項１に記載のネットワーク装置。
【請求項４】
前記第１パラメータシートは、設定するパラメータの識別情報毎に、設定可能範囲又は入力可能文字種別を含み、
前記パラメータシート入力部は、入力した第２パラメータシートに含まれるパラメータの設定値が、対応する設定可能範囲又は入力可能文字種別を満たすか否かを判定し、満たさない場合はエラーメッセージを出力する請求項１に記載のネットワーク装置。
【請求項５】
複数のネットワーク装置を備えるネットワークシステムであって、
該複数のネットワーク装置は、
設定するパラメータの識別情報のリストを少なくとも含む第１パラメータシートを格納するパラメータシート格納部と、
該第１パラメータシートを出力するパラメータシート出力部と、
設定するパラメータの識別情報毎に、該パラメータの設定値を含む第２パラメータシートを入力するパラメータシート入力部と、
第２パラメータシートから自ネットワーク装置に設定するコンフィグを自動で作成するコンフィグ作成部と
を有し、
複数のネットワーク装置のうちの第１ネットワーク装置と第２ネットワーク装置は、各装置の機能の違いに応じた異なる第１パラメータシートが前記パラメータシート格納部に記憶されるネットワークシステム。
【請求項６】
第１ネットワーク装置と第２ネットワーク装置は、動作するソフトウェアの種類又はバージョンが異なり、
該ソフトウェアの違いに応じた異なる第１パラメータシートが前記パラメータシート格納部に記憶される請求項５に記載のネットワークシステム。
【請求項７】
前記第１ネットワーク装置と第２ネットワーク装置は、オペレーティングソフトの種類又はバージョンが異なり、
該オペレーティングソフトの違いに応じた異なる第１パラメータシートが前記パラメータシート格納部に記憶される請求項５に記載のネットワークシステム。
【発明の詳細な説明】
【技術分野】
【０００１】
本発明は、ネットワーク装置及びネットワークシステムに係り、機器の設定情報を管理する詳細設計書（パラメータシート）から機器への投入情報（ｃｏｎｆｉｇ）を自動生成する機能を有するネットワーク装置及びネットワークシステムに関する。
【背景技術】
【０００２】
従来、ネットワーク装置の設定値に関しては、パラメータシートおよびｃｏｎｆｉｇ（コンフィグ、コンフィグデータ。以下ｃｏｎｆｉｇと記す）の双方を管理する必要があり、設定値が変更となる度に双方を修正する必要があった。本修正は、管理負荷が高いだけでなく、パラメータシートからｃｏｎｆｉｇを作成する際に人為的ミスを起こす可能性も内包しており、パラメータシートからｃｏｎｆｉｇを自動生成する機能のニーズが高まっている。
ｃｏｎｆｉｇの自動生成に関しては、非特許文献１に示す通り、「ＭＡＩＫＯ（Ｍａｎａｇｅｍｅｎｔ  Ａｒｃｈｉｔｅｃｔｕｒｅ  ｆｏｒ  Ｉｎｔｅｒｎｅｔ  Ｋｎｏｗｌｅｄｇｅ  ｏｆ  Ｏｐｅｒａｔｉｏｎ）」による統合ソフトウェアによる自動生成が提案されている。
【先行技術文献】
【非特許文献】
【０００３】
【非特許文献１】ＩＰネットワーク運用効率化に向けた取り組み「ＭＡＩＫＯ」、ＮＴＴ技報ジャーナル、２０１１．２、Ｐ．４８−５１、＜ＵＲＬ：ｈｔｔｐ：／／ｗｗｗ．ｎｔｔ．ｃｏ．ｊｐ／ｊｏｕｒｎａｌ／１１０２／ｆｉｌｅｓ／ｊｎ２０１１０２０４８．ｐｄｆ＞
【発明の概要】
【発明が解決しようとする課題】
【０００４】
しかし、上述の統合ソフトウェアによる自動生成では、各ネットワーク装置のＯＳのバージョン差異等による機能の追加／変更／廃止に対応することは、統合ソフトウェアの改修がその度に必要となることから困難である。
以上の点に鑑み、本発明の目的は、ネットワーク装置にｃｏｎｆｉｇの自動生成機能を持たせ、ネットワーク装置の機能及びＯＳの種別・バージョンに応じたｃｏｎｆｉｇの自動生成を可能にすることにある。
【課題を解決するための手段】
【０００５】
本発明は、概略以下（１）−（３）の手段を有するネットワーク装置を提供する。
（１）ネットワーク装置のパラメータシートを出力する機能を有し、ユーザは最新のパラメータシートを基に設定値を入力する。
（２）パラメータの設定値が設定された、ネットワーク装置のパラメータシートを入力する機能を有し、ユーザが入力した設定値の設定範囲や入力文字種別等の誤りを検出する。
（３）パラメータシートをｃｏｎｆｉｇに翻訳する機能を有し、パラメータシート−ｃｏｎｆｉｇの文字列変換テーブルを参照することにより、ｃｏｎｆｉｇの自動生成を行う。
【０００６】
本発明の第１の解決手段によると、
設定するパラメータの識別情報のリストを少なくとも含む第１パラメータシートを格納するパラメータシート格納部と、
該第１パラメータシートを出力するパラメータシート出力部と、
設定するパラメータの識別情報毎に、該パラメータの設定値を含む第２パラメータシートを入力するパラメータシート入力部と、
第２パラメータシートからネットワーク装置に設定するコンフィグを自動で作成するコンフィグ作成部と
を備えたネットワーク装置が提供される。
これにより、自身のネットワーク装置の機能に応じたｃｏｎｆｉｇの自動生成が可能である。また、自身のネットワーク装置が使用するＯＳの種別及びバージョンに応じたｃｏｎｆｉｇの自動生成が可能である。また、ユーザはパラメータシートのみを管理対象とすれば良く、ユーザの管理負担を軽減できる。
【０００７】
本発明の第２の解決手段によると、
複数のネットワーク装置を備えるネットワークシステムであって、
該複数のネットワーク装置は、
設定するパラメータの識別情報のリストを少なくとも含む第１パラメータシートを格納するパラメータシート格納部と、
該第１パラメータシートを出力するパラメータシート出力部と、
設定するパラメータの識別情報毎に、該パラメータの設定値を含む第２パラメータシートを入力するパラメータシート入力部と、
第２パラメータシートから自ネットワーク装置に設定するコンフィグを自動で作成するコンフィグ作成部と
を有し、
複数のネットワーク装置のうちの第１ネットワーク装置と第２ネットワーク装置は、各装置の機能の違いに応じた異なる第１パラメータシートが前記パラメータシート格納部に記憶されるネットワークシステムが提供される。
これにより、ネットワークシステム内の各ネットワーク装置の機能に応じたｃｏｎｆｉｇの自動生成が可能である。また、各ネットワーク装置が使用するＯＳの種別及びバージョンに応じたｃｏｎｆｉｇの自動生成が可能である。また、ユーザはパラメータシートのみを管理対象とすれば良く、ユーザの管理負担を軽減できる。
【発明の効果】
【０００８】
本発明により、ネットワーク装置の機能及びＯＳの種別・バージョンに応じたｃｏｎｆｉｇの自動生成が可能である。
【図面の簡単な説明】
【０００９】
【図１】ネットワーク装置の機能ブロック図である。
【図２】ネットワーク装置のｃｏｎｆｉｇ生成と設定適用の処理フロー図である。
【図３】パラメータシート格納データベースの説明図である。
【図４】パラメータシートの説明図である。
【図５】ｃｏｎｆｉｇ格納データベース図の説明図である。
【図６】パラメータシート変換テーブルの説明図である。
【図７】パラメータシート変更履歴データベースの説明図である。
【図８】ネットワークシステムの構成図である。
【発明を実施するための形態】
【００１０】
以下、本発明の実施の形態について、実施例を用い図面を参照しながら詳細に説明する。なお、実質同一部位には同じ参照番号を振り、説明は繰り返さない。
図１を参照して、ネットワーク装置１００の機能部について説明する。ネットワーク装置１００は、例えば、パラメータシート出力機能部１０１と、パラメータシート入力機能部１０２と、パラメータシート翻訳機能部（コンフィグ作成部）１０３と、世代管理機能部１０４と、設定変更機能部１０５と、パラメータシート格納データベース１０６と、ｃｏｎｆｉｇ格納データベース１０７と、パラメータシート変更履歴データベース１０８と、パラメータシート変換テーブル１０９と、コマンド処理部１１０とを備える。
パラメータシート出力制御部１０１は、ユーザ端末からのパラメータシート取得のリクエストに応答し、パラメータシートを出力する機能を有している。パラメータシートは、パラメータシート格納データベース１０６に予め記憶することができる。パラメータシートについては後に詳述するが、ここで出力されるパラメータシート（第１パラメータシート）は例えば設定するパラメータのリストを含む。パラメータシートは、例えばユーザ端末に出力される。例えば、ネットワークを介してユーザ端末の表示部にパラメータシート（パラメータの設定項目）を表示し、設定値の入力を促してもよい。また、ユーザ端末にファイルを送信し、ユーザの操作によりファイルが表示、印刷等されてもよい。
【００１１】
パラメータシート入力機能部１０２は、ユーザ端末から転送されたパラメータシートをパラメータシート格納データベース１０６に保存する機能を有している。ユーザの操作により、ユーザ端末はパラメータシートに示された設定する各パラメータについて設定値をそれぞれ入力し、入力された設定値を含むパラメータシート（第２パラメータシート）のファイルをネットワーク装置１００に返信する。
パラメータシート翻訳機能部１０３は、パラメータシート入力機能部１０２により保存されたパラメータシートをパラメータシート変換テーブル１０９の変換規則に従ってｃｏｎｆｉｇを生成する機能を有する。生成したｃｏｎｆｉｇはｃｏｎｆｉｇ格納データベース１０７に保存する。
世代管理機能部１０４は、保存したパラメータシートとｃｏｎｆｉｇの最終更新日と更新履歴をパラメータシート変更履歴データベース１０８に記録する機能を有する。設定変更機能部１０５は、ユーザが選択したｃｏｎｆｉｇをネットワーク装置に適用する機能を有する。
パラメータシート格納データベース１０６は、パラメータリストを格納する。ｃｏｎｆｉｇ格納データベース１０７は、生成されたｃｏｎｆｉｇを格納する。パラメータシート変更履歴データベース１０８は、保存したパラメータシートとｃｏｎｆｉｇの最終更新日と更新履歴を保存する。パラメータシート変換テーブル１０９は、パラメータシートとｃｏｎｆｉｇの対応関係を示す。各データベース及びテーブルの構成例を以下説明する。
【００１２】
図３は、パラメータシート格納データベースの説明図である。
パラメータシート格納データベース１０６は、例えば、マスタフラグ３０１、生成日３０２、及び、パラメータシートのファイル名３０３の各情報が対応して記憶される。マスタフラグ３０１は、対応するパラメータシートから生成されたｃｏｎｆｉｇがネットワーク装置１００に設定されているものか否かをしめす。図３の例においては、ネットワーク装置１００に設置されている場合、マスタフラグに１がセットされる。生成日はパラメータシートを生成した日付である。日付以外にも適宜の時間情報が記憶されてもよい。
図４は、パラメータシートの説明図である。
パラメータシートは、例えば、パラメータの分類情報４０１、ポート番号４０２、パラメータ名称４０３、及び、入力フィールド４０４を含む。
パラメータの分類情報４０１は、パラメータをいくつかのカテゴリに分類した分類情報である。例えば、インタフェース、アクセスリスト、ルーティング等の単位で分類してもよい。分類は適宜の粒度でよく、これら以外にもより大きい単位で分類してもよいし、小さい単位で分類してもよい。ポート番号４０２はパラメータが関係するポートの識別情報である。番号以外にも適宜の識別子でもよい。パラメータ名称４０３は、設定対象のパラメータである。入力フィールド４０４は、設定対象のパラメータに対する設定値が入力される。ネットワーク装置１００から送信されるパラメータシート（第１パラメータシート）は、入力フィールド４０４がブランクでもよいし、デフォルトの値が記憶されてもよい。ネットワーク装置１００がユーザ端末から受信するパラメータシート（第２パラメータシート）は、入力フィールドに設置値を含む。
パラメータシートにはさらに、設定するパラメータ毎に、設定可能範囲又は入力可能文字種別を含む入力許容情報４０５を含んでもよい。
【００１３】
図５は、ｃｏｎｆｉｇ格納データベースの説明図である。
ｃｏｎｆｉｇ格納データベース１０７は、例えば、マスタフラグ５０１、生成日５０２、生成したｃｏｎｆｉｇのファイル名５０３、及び、対応するパラメータシートのファイル名５０４の各情報が対応して記憶される。マスタフラグ５０１は、パラメータシート格納データベース１０６のマスタフラグ３０１と同様である。生成日５０２は、ｃｏｎｆｉｇを生成した日付である。日付以外にも適宜の時間情報が記憶されてもよい。
図６は、パラメータシート変換テーブルの説明図である。
パラメータシート変換テーブル１０９は、パラメータシートの各情報と、対応するｃｏｎｆｉｇ変換情報がそれぞれ記憶される。例えば、パラメータシート変換テーブル１０９は、分類情報６０１と、分類情報に対応するｃｏｎｆｉｇ変換情報６０２と、ポート番号６０３と、ポート番号に対応するｃｏｎｆｉｇ変換情報６０４と、パラメータ名称６０５と、入力フィールド６０６と、パラメータ名称及び入力フィールドに対応するｃｏｎｆｉｇ変換情報６０７とを含む。
【００１４】
図７は、パラメータシート変更履歴データベースの説明図である。
パラメータシート変更履歴データベース１０８は、例えば、マスタフラグ７０１、変更日７０２、ファイル名７０３、変更箇所７０４、変更したパラメータ７０５、変更前の設置値７０６、及び、変更後の設定値７０７がそれぞれ記憶される。
マスタフラグ７０１は、パラメータシート格納データベース１０６のマスタフラグ３０１、及び、ｃｏｎｆｉｇ格納データベース１０７のマスタフラグ５０１と同様である。変更日７０２はパラメータシート及びｃｏｎｆｉｇを変更した日付を示す。その他、適宜の時間情報でもよい。ファイル名７０３は、例えば設定値を変更したパラメータシートのファイル名である。変更箇所７０４は、例えばパラメータシート内で変更した箇所を示し、一例として行番号が記憶される。パラメータ７０５は、変更したパラメータである。変更前の設置値７０６及び変更後の設定値７０７は、変更履歴を示す。
図２を参照してネットワーク装置のｃｏｎｆｉｇ生成と設定適用の処理を説明する。
パラメータシート出力機能部１０１は、パラメータシート格納データベース１０６に保存されているパラメータシート（第１パラメータシート）の中から、ユーザが選択したパラメータシートを出力する（Ｓ１１）。例えば、ユーザ端末にファイル名のリストを表示し、ユーザは適宜の入力部を操作してファイル名でパラメータシートを選択する。
【００１５】
なお、図３において、ネットワーク装置１００に現在設定されているパラメータシートはパラメータシート格納データベース１０６のマスタフラグ（３０１）を１としているため、ユーザはどのパラメータシートがネットワーク装置１００に設定されているか認識可能である。
ユーザの操作によりパラメータシートの入力フィールドに設定値が入力されたパラメータシート（第２パラメータシート）をユーザ端末から入力する（Ｓ１２）。
パラメータシート入力機能部１０２は、ユーザ端末より入力されたパラメータシートの入力フィールドの値の不正チェックを行う（Ｓ１４）。例えばパラメータシート入力機能部１０２は、入力したパラメータシートに含まれるパラメータの設定値が、対応する入力許容情報４０５（設定可能範囲又は入力可能文字種別など）を満たすか否か（エラーの有無）を判定する。エラーがあった場合は、エラーメッセージを出力するなどしてユーザに差し戻し、エラーが無い場合はパラメータシート格納データベース１０６に当該パラメータシートを保存する（Ｓ１５）。エラーメッセージは、例えば、エラーコードとエラー箇所を含むことができる。エラーコードは、例えば、設定可能範囲にエラーがあるか、入力文字にエラーがあるかなど、エラーの内容を特定する情報である。エラー箇所は、例えばパラメータの識別情報でもよいし、パラメータシート中にエラーのあった箇所（設定値）をハイライト表示するなど、エラー箇所を判別できる適宜の形式でもよい。
【００１６】
世代管理機能部１０４は、パラメータシート格納データベース１０６に、生成したパラメータシートの生成日３０２、ファイル名３０３を記録する（Ｓ１６）。
次に、コマンド処理部１１０は、格納されているパラメータシートからｃｏｎｆｉｇを生成するコマンドを実行する（Ｓ１７）。コマンドはユーザ端末から投入されてもよい。該コマンドの実行により、パラメータシート翻訳機能部１０３はパラメータシート変換テーブル１０９に従い、パラメータシートの文字列を変換し、ｃｏｎｆｉｇを生成する（６０２、６０４、６０７）。図６に示すパラメータシート変換テーブル１０９の例では、例えばパラメータシートの分類情報（４０１、６０１）を、対応するｃｏｎｆｉｇ変換情報６０２に変換し、パラメータシートのポート情報（４０２、６０３）を、対応するｃｏｎｆｉｇ変換情報６０４に変換し、パラメータシートのパラメータ名称及び入力フィールドの組（４０３−４０４、６０５−６０６）を、対応するｃｏｎｆｉｇ変換情報６０７に変換する。これら変換された情報は、構文情報に従い適宜並べ替えてもよい。また、これ以外にもパラメータシートからｃｏｆｉｇを自動生成する適宜の手法を用いてもよい。パラメータシート翻訳機能部１０３は、生成したｃｏｎｆｉｇをｃｏｎｆｉｇ格納データベース１０７に保存する（Ｓ１８）。
【００１７】
世代管理機能部１０４は、ｃｏｎｆｉｇ格納データベース１０７に、生成したｃｏｎｆｉｇの生成日５０２、ファイル名５０３、対応パラメータシート名５０４を記録する（Ｓ１９）。
ユーザ端末は保存されているｃｏｎｆｉｇファイルを指定し、コマンド処理部１１０は、ネットワーク装置１００に設定されているｃｏｎｆｉｇ（マスタのｃｏｎｆｉｇ）との差分情報を取得するコマンドを実行する（Ｓ２０）。なお、ユーザの指定なく、生成したｃｏｎｆｉｇとマスタのｃｏｎｆｉｇを比較してもよい。例えば、コマンド処理部１１０は、両ｃｏｎｆｉｇの文字列の差分をとり、差分がある場合は関連する部分（例えば、設定値に差分がある場合は、該設定値とそのパラメータ名を含む）を、パラメータシートに相当する文字列に逆変換する。このとき、パラメータシート変換テーブル１０９が参照されてもよい。コマンド処理部１１０は、例えば逆変換された差分情報をユーザ端末に出力（例えば表示）する。ユーザは、出力された差分情報を見て、意図する変更がなされたか確認できる。また、パラメータシートに相当する文字列に逆変換されるため、ユーザにとってわかり易い形で出力できる。
差分を確認し問題がある（例えば意図したものと違う）場合は、パラメータシートの値の入力から再度実施する（Ｓ１２）。問題が無い場合は、設定変更制御部１０５が、ユーザ端末により指定されたｃｏｎｆｉｇをネットワーク装置に適用する。
また、世代管理機能部１０４は、修正履歴データベース１０８に設定変更箇所（７０３、７０４、７０５、７０６、７０７）を保存する（Ｓ２１）。世代管理機能部１０４は、パラメータシート格納データベース１０６、ｃｏｎｆｉｇ格納データベース１０７に対し、設定変更を行ったｃｏｎｆｉｇおよびパラメータシートのマスタフラグ（３０１、５０１）を１とする（Ｓ２２）。
【００１８】
図８は、ネットワークシステムの構成図である。
ネットワークシステムは、複数のネットワーク装置１００を備える。複数のネットワーク装置のうちの第１ネットワーク装置１００−１と第２ネットワーク装置１００−２は、各装置の機能の違いに応じた異なる第１パラメータシートがパラメータシート格納データベース１０６に記憶される。
例えば、第１ネットワーク装置１００−１と第２ネットワーク装置１００−２は、動作するソフトウェアの種類又はバージョンが異なる。この場合、ソフトウェアの違いに応じた異なる第１パラメータシートが、各ネットワーク装置の各パラメータシート格納データベース１０６に記憶される。ここで、異なるソフトウェアの種類又はバージョンは、例えば、オペレーティングソフトの種類又はバージョンでもよい。なお、各ネットワーク装置の機能、ＯＳの種別、バージョン、及び、それらに対応するパラメータシートを管理する管理サーバをさらに備えてもよい。
このように、異なるネットワーク装置／異なるＯＳバージョンにおいてもｃｏｎｆｉｇの自動生成が可能となる。新たな機能を有するネットワーク装置がシステムに導入される場合は、そのネットワーク装置内に対応するパラメータシートが保存されていればよい。例えば、出荷時に保存されていてもよいし、設置時に適宜の媒体から読み込んでもよい。既存のネットワーク装置のソフトウェアをバージョンアップするなど、機能を変更する場合は、対応するパラメータシート及びパラメータシート変換テーブル１０９が変更され、ｃｏｎｆｉｇを自動生成する処理を実行すればよい。ソフトウェアのバージョンアップ及びパラメータシートの更新は、ネットワーク装置にローカル接続された設定装置から設定してもよいし、ネットワークを介してサーバからダウンロードしてもよい。
【００１９】
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００２０】
１００  ネットワーク装置
１０１  パラメータシート出力機能部
１０２  パラメータシート入力機能部
１０３  パラメータシート翻訳機能部
１０４  世代管理機能部
１０５  設定変更機能部
１０６  パラメータシート格納データベース
１０７  ｃｏｎｆｉｇ格納データベース
１０８  パラメータシート変更履歴データベース
１０９  パラメータシート変換テーブル
１１０  コマンド処理部
【図１】
2014059822.tif 000003
【図２】
2014059822.tif 000004
【図３】
2014059822.tif 000005
【図４】
2014059822.tif 000006
【図５】
2014059822.tif 000007
【図６】
2014059822.tif 000008
【図７】
2014059822.tif 000009
【図８】
2014059822.tif 000010